(57)【特許請求の範囲】
【請求項１】
平均粒径５〜２５ｎｍの磁性粒子を非水性の液状媒体に分散せしめてなる磁性流体、植物油、および、８００〜１５００ｎｍの範囲に少なくとも１つ以上の吸光スペクトルを有する物質または２５０〜３８０ｎｍの波長の光を照射した場合に蛍光を発する物質を含有することを特徴とする非水性真券汚染用インキ。（ここで、「汚染」とは、真券が不正に奪取された際に、インキが該真券における真贋検知用の磁性印刷層を十分に浸透汚染し、現金自動預け払い機等の機器でその真券が不正に奪取された真券であることを識別することを可能たらしめることをいう。）
【発明の詳細な説明】
【０００１】
【発明の属する技術分野】
本発明は、金融機関や郵便局、駅、宝くじ販売所等に設置される装置内に収容される真券が不正な手段によって奪取される場合に、真券を汚染するためのインキに関する。
【０００２】
【従来の技術】
紙幣、有価証券、郵便切手、収入印紙、乗車券、当籤金付き証票等（以下、真券という）が、これらを取り扱う金融機関や郵便局、駅、宝くじ販売所等から強盗等によって不正に奪取されることがある。係る不正奪取行為を想定し、噴射器または容易に破壊し得る樹脂容器に、黄または橙などの目立つ色の蛍光染料を充填したものを上記金融機関等に予め用意しておき、実際の不正奪取行為の発生に際し、犯人又は真券に向けて前記噴射器の引き金を引いたり、前記容器を投げつけ容器を破壊したりして、蛍光染料を犯人又は真券に付着させ、犯人を容易に追跡できるようにする試みがなされている。しかし、犯人が追跡を振り切り逃げ失せてしまった事例も少なくなく、逃走に成功した場合には、不正に奪取された真券をそれ以外の真券から容易に識別できることが重要である。
【０００３】
従来、真券汚染に使用される蛍光染料は、いわゆる蛍光ペンと称する事務用途マーカー類の色と類似しているので、係る色彩が真券に付着していたとしても、その真券が直ちに不正手段によって奪取された真券であると認識することは容易ではなかった。また、真券汚染に使用される蛍光染料は、耐候性、耐薬品性に劣るので、汚染された真券を太陽光等に曝したり、アルカリ性溶液もしくは酸性溶液に浸漬したり等すると、色落ちしてしまい、もはやその真券が不正手段によって奪取された真券であると認識することができなくなってしまうという欠点があった。
【０００４】
また、現金自動支払預け払い機、金銭両替機、自動販売機等の普及している今日、前記金銭両替機等を悪用し、不正な手段による奪取の際に汚染された真券を汚染されていない真券等と交換したり、不正な手段による奪取の際に汚染された真券を用いて自動販売機で物品を購入することも十分に可能である。従って、人が目視で不正な手段によって奪取された真券であると認識できるだけでは不十分であり、機械的にも不正な手段によって奪取された真券であると識別できるようにすることが強く望まれている。
【０００５】
ところで、紙幣、有価証券、乗車券、当籤金付き証票等の真券には、これら真券に似せてつくられた偽物（以下、偽造券という）との相違を検知し、真贋を識別するために、真券製造時に磁気インキによる磁性印刷が施されている。真券が不正に奪取された場合に、磁性を帯びる真券汚染用インキで真券を汚染することにより、前記の真贋検知用の磁性印刷層をも汚染し、その結果として現金自動預け払い機等の機器でその真券が不正に奪取された真券であることを識別することができる。
【０００６】
また、磁性粒子は一般に蛍光染料に比してはるかに耐候性、耐薬品性に優れるので、磁性粒子を含有するインキを用いた場合には不正に奪取された真券上に不正である旨の証拠を長期にわたって残すことができる。
【０００７】
しかし、一般的な磁性インキに含有される磁性体は、粒径が５００ｎｍ程度よりも大きい粒子、もしくは長径が５００ｎｍ程度よりも大きい磁性体であり、高比重であるため、これら大きな磁性体を含有する一般的な磁性インキを印刷に供する場合は、撹拌下に使用することが必要である。撹拌しない場合には、安定な分散状態を維持することは困難であり、撹拌を止めてから６０分程度で磁性体が沈降してしまう。
現金自動預け払い機等内に収容される真券汚染用インキは、頻繁に真券汚染の用に供されるものではなく、滅多に発生しない不正奪取行為に備え、不正奪取行為が発生した際に、不正に奪取された真券を磁気をもって均等に汚染すべく、複数年にわたり安定した分散状態を維持する必要がある。ここで、磁性インキの分散状態を安定に保つ手段として、常に撹拌していること、磁性インキの粘度を高くし磁性体を沈降し難くする等が考えられる。
しかし、現金自動預け払い機等は、装置内のスペースの関係上、真券汚染用インキを撹拌する機構をその装置内に具備することは極めて難しく、現実的ではない。
【０００８】
また、不正奪取行為の発生に際し真券汚染用インキはその収容部材から緊急かつ速やかに噴出し、真券に付着し、これを汚染する必要があるが、真券汚染用インキを高粘度化すると収容部材から緊急かつ速やかに噴出し難い。さらに、真券の表面若しくは端面に付着したとしても、速やかにその内部に浸透し難い。
あるいは、不正奪取行為の発生に際し真券汚染用インキ中に真券を投入することによって真券を汚染することもでき、この場合は真券汚染用インキを噴出する場合に比して真券汚染用インキは高粘度であっても良いが、真券の表面若しくは端面に付着したとしても、速やかにその内部に浸透し難いという問題点を有している。
即ち、磁性インキが真券の内部に浸透せず、単に表面や端面に付着しているだけでは、不正奪取行為の後に犯人等がその汚れを簡単に落とすことができ、その後は不正奪取行為により得られた真券であることを認識できなくなり、その真券の使用を防止できない。
【０００９】
従って、インキ収容部材から緊急かつ速やかにインキが噴出し得るように、また真券の内部に速やかに浸透し得るように、低粘度でありながら、格別の撹拌なしに、複数年の長きにわたり安定した分散状態を維持できるようにするために、さらに真券が紙等の浸透性の素材からなる場合には、汚染は単に表面層に留まることなく、その内部に至ることが重要であり、その浸透性確保のためには、磁性体の平均粒径が５〜２５ｎｍであることが極めて重要であることを先に見出し、出願している。
【００１０】
ところで、真券は、収容スペース等の関係上金銭両替機等の装置内に長辺、短辺をそれぞれ揃えて、積み重ねられたり、並べられたりする一種の「束」状態で収容される。
従って、当該真券の束の一方の面若しくは両方の面、即ち、真券の「束」の外面に平均粒径が５〜２５ｎｍである磁性体を含有する真券汚染用インキを滴下したり、吹き付けたり、あるいは真券汚染用インキを収容してなる容器中に真券の束の外面を落下せしめたりした場合には、束の外側に位置する真券は簡単に汚染できるが、束の内側に位置する真券を効率よく、確実に汚染することは極めて難しい。
従って、「束」状に積み重ねられ、若しくは並べられた真券の１枚１枚を効率よく、確実に汚染するためには、「束」の端面に汚染用インキを付着せしめ、「束」の端面から汚染物質を真券内部に浸透せしめる必要がある。
【００１１】
また、前記金銭両替機等は、無人状況に設置されることが多いので、その安全性には細心の注意を払う必要がある。従って、その装置内部には静電気や落雷等によって引火し易い物質は収容しないことが望まれる。
従って、真券汚染用インキとしては、水性であることが望まれる。
【００１２】
しかし、水性の真券汚染用インキを用いて、真券の「束」の端面から真券内部に汚染物質を迅速に浸透せしめることは極めて難しいという新たな問題を生じた。
即ち、詳細な機構はまだ良く解明されてはいないが、水性の真券汚染用インキを真券の「束」の端面に付着せしめると、真券自体が膨潤するためと思われるが、汚染用インキを付着せしめた側が極端に膨らんでしまい、真券内部に汚染物質がほとんど浸透しなくなってしまう。
一般に紙幣等の真券は、その縁から10〜20mm程度内側に真贋識別用の磁気印刷が施されていることが多い。従って、汚染用インキは真券の「束」の端面からその内側に向かって20mm程度浸透することが要求されるが、水性の真券汚染用インキを用いると、真贋識別用の磁気印刷を十分に汚染する程には真券内部にインキが浸透しない。
【００１３】
【発明が解決しようとする課題】
本発明は、長辺、短辺をそれぞれ揃え、積み重ね若しくは並べられた一種の「束」状態で真券を収容してなる真券収容装置内で格別の撹拌なしに、複数年の長きにわたり安定した分散状態を維持でき、静電気や落雷等によって引火し難いインキであって、真券が不正な手段により奪取される際に迅速かつ確実に真券の「束」の端面を汚染し得るインキであって、真券の「束」の端面を汚染せしめた後、速やかに真券内部に浸透し、真券が不正な手段により奪取された場合に、人の視覚においても、前記金銭両替機等の機械においてもそれらが不正手段により奪取された真券だと判る歴然とした証拠を長期にわたりその真券上に残し得る真券汚染用のインキを提供することを目的とし、さらに不正手段により奪取された真券の使用を不可能にすることを目的とする。
【００１４】
【課題を解決するための手段】
すなわち、本発明は、  平均粒径５〜２５ｎｍの磁性粒子を非水性の液状媒体に分散せしめてなる磁性流体、植物油、および、８００〜１５００ｎｍの範囲に少なくとも１つ以上の吸光スペクトルを有する物質または２５０〜３８０ｎｍの波長の光を照射した場合に蛍光を発する物質を含有することを特徴とする非水性真券汚染用インキである。
【００１５】
【発明の実施の形態】
本発明の真券汚染用インキについて説明する。
一般的な磁性インキに含有される磁性体は、その大きさ及び比重故に、係る磁性体を含有する磁性インキを印刷に供する場合は、撹拌下に使用することが必要であり、撹拌しない場合には、安定な分散状態を維持することは困難であり、撹拌を止めてから６０分程度で磁性体が沈降してしまうことは前記した次第であるが、磁性体の平均粒径が５〜２５ｎｍであると、該磁性体を含有する分散液の分散状態が極めて安定で、遠心力を作用させても凝集や沈降が起こらず、あたかも分散液が磁性を帯びた「溶液」であるかのような性質を呈する。また、磁界を作用させた場合には、磁界を作用させている間だけはその影響を受け、引き寄せられたりするが、磁界を取り去った後は元の磁性を帯びた「溶液」であるかのような状態に戻る。従って、格別の撹拌なしに、複数年の長きにわたり安定した分散状態を維持できる。
さらに平均粒径が上記のような範囲にあると、真券が紙等の浸透性の素材からなる場合には、汚染は単に表面層に留まることなく、その内部に速やかに至ることができる。本発明の真券汚染用インキの磁性体の平均粒径は、５〜２５ｎｍであることが極めて重要であり、５〜２０ｎｍであることが好ましく、７〜１５ｎｍであることがより好ましい。
ここで、含有される磁性体としては、鉄、ニッケル、コバルト、フェライト、等が挙げられ、真券上に生じる見かけの磁性の強さの点からはフェライトが好ましく、中でもマグネタイト、マンガン亜鉛フェライト等の金属酸化物が好ましい。また、形状としては球状又は球状に近いことが好ましい。
【００１６】
本発明の真券汚染用インキは、非水性の液状媒体に平均粒径５〜２５ｎｍの磁性粒子を０．０５〜９０重量％分散せしめたものであることが好ましく、２〜５０重量％分散せしめたものであることがより好ましい。インキ中の磁性粒子含有量が０．０５重量％未満だと不正奪取行為に際し、適当に真券を汚染できたとしても、色が薄いため目視で、又は磁気が弱いため現金自動預け払い機等の機器の真贋検知用の機能を撹乱し、その真券が不正手段によって奪取されたものであることを認識することは難しい。また、インキ中の磁性粒子含有量が９０重量％よりも多くても、その含有量に応じた効果が期待できないばかりか、経済的に不利になるので好ましくない。
【００１７】
本発明の真券汚染用インキは、界面活性剤を用いて平均粒径５〜２５ｎｍの磁性粒子を非水性の液状媒体に分散せしめてなるものであることが好ましい。
界面活性剤としては、炭化水素鎖の炭素数が９以上の陰イオン型、陽イオン型あるいは非イオン型界面活性剤が利用可能であり、具体的には、オレイン酸、リノール酸、リノレイン酸、アルキルベンゼンスルホン酸塩、アルキルスルホン酸塩、ドデシル硫酸などを挙げることができる。
尚、界面活性剤を用いて平均粒径５〜２５ｎｍの磁性粒子を非水性の液状媒体に１０〜５０重量％程度分散せしめてなるものは、いわゆる磁性流体として入手可能である。
【００１８】
本発明の真券汚染用インキは、磁性流体として入手し得るものに後述する植物油を添加するだけでもよいが、磁性体含有量や粘度を調整する目的でさらに非水性の液状媒体を添加しても良い。
非水性の液状媒体としては、引火し難いものであれば良く、引火点が３０℃以上であることが好ましく、４５℃以上であることがより好ましい。
また、この非水性の液状媒体は、乾燥し難いものが好ましく、例えば沸点が１５０℃以上のものが好ましい。真券汚染用インキが極端に乾燥し易いと、真券汚染用インキが真券に付着後、真券の真贋識別用の磁気印刷層に到達する前に乾燥してしまい、前記磁気印刷層の磁気を乱すという真券汚染本来の目的を達成し難い。
更に、この非水性の液状媒体は、炭化水素系の液状媒体が好ましく、主として脂肪族系炭化水素を主成分とするものが好ましく、脂肪族系炭化水素には環を形成しているものも不飽和のものも含まれる。
このような非水性の液状媒体としては、ｎ−ノナン（引火点：30℃、沸点：150.8 ℃）、ｎ−デカン（引火点：46.1℃、沸点：174.1 ℃）、ｎ−ドデカン（引火点：73.9℃、沸点：216.3 ℃）、デカリン（引火点：57.8℃、沸点：195.7 ℃）、ビシクロヘキシル（引火点：73.9℃、沸点：217 〜219 ℃(trans-trans) 、沸点：233 〜238 ℃(cis-cis) ）等が挙げられ、ケロシン（引火点：65〜85℃、沸点：175 〜325 ℃）等も例示できる。
【００１９】
本発明の真券汚染用インキのもう１つの大きな特徴は、植物油を含有することである。
即ち、植物油を含有せしめることによって真券の「束」の端面に非水性の真券汚染用インキが付着した後、真券の端面からその内部に迅速に浸透するという顕著な効果を奏すると共に、インキ自体がより乾燥し難くなる。また、真券内部への浸透のみならず、真券と真券との間、つまり真券の表面に沿って真券の縁から奥へも汚染用インキが浸透し易くなり、真贋識別用の磁気印刷層を確実に汚染・撹乱することができる。
【００２０】
さらに、植物油は、真券汚染用インキの粘度調整剤としての機能をも担う。
磁性粒子の含有量にもよるが、平均粒径５〜２５ｎｍの磁性粒子と非水性の液状媒体とを含有するだけでは、真券汚染用インキは極めて低粘度にならざるを得ない。従って、真券の「束」の汚染されるべき端面が鉛直線方向上を向き、その端面に向かって上から汚染用インキを滴下若しくは噴射等する場合以外、例えば真券の「束」の汚染されるべき端面がほぼ垂直である場合、又は真券の「束」の汚染されるべき端面が鉛直線方向下を向いている場合には、真券汚染用インキは、重力に逆らって真券端面から内部若しくはその表面奥へ浸透する必要があり、真券汚染用インキが極端に低粘度過ぎると端面に付着しても浸透するよりも落下する方が勝ってしまうこととなる。つまり、真券汚染用インキは、経済的には真贋識別用の磁気印刷層の磁気を撹乱するに必要最低限の磁性粒子を含みつつ、重力に抗し得る程度には高粘度であり、かつ、真券の束の端面からの浸透を速やかなものとする程度には低粘度であることが望まれ、植物油の添加は、この相反する要求に対して格別の効果を奏する。
【００２１】
本発明において用いられる植物油としては、椿油、サザンカ油、オリーブ油、ひまし油、菜種油、ゴマ油、綿実油、サフラワー油、コーン油等が挙げられ、不乾性油たる椿油、サザンカ油、オリーブ油、ひまし油が好ましく、椿油、サザンカ油、オリーブ油がより好ましく、椿油、サザンカ油が最も好ましい。
これら植物油は、本発明の真券汚染用インキ中に２０〜７０重量％含有することが好ましく、３０〜６０重量％含有することがより好ましく、３５〜５５重量％含有することがさらに好ましい。
【００２２】
本発明の真券汚染用インキには、さらに平均粒径５〜２５ｎｍの磁性粒子の分散状態を損なわない範囲で、顔料、染料、樹脂等を含有せしめることができる。
磁性体は、一般に暗黒色若しくは茶褐色を呈することが多いが、比較的薄い色の磁性粒子を用いたり、暗黒色若しくは茶褐色の磁性粒子を比較的少量、例えばインキ中に２０重量％程度含有せしめる場合に、顔料、染料を併用すると、磁気を帯びつつ暗黒色若しくは茶褐色以外のインキを得ることができる。真券汚染用インキ中に含まれ得る顔料としては、分散安定性の点から０．１〜５μｍ程度の粒径を有するものが好ましく、また真券汚染用インキ中に含まれ得る染料としては酸やアルカリに強く容易には退色しないようなものが好ましい。
【００２３】
本発明の真券汚染用インキには、さらに８００〜１５００ｎｍの範囲に少なくとも１つ以上の吸光スペクトルを有する物質や、２５０〜３８０ｎｍの波長の光を照射した場合に蛍光を発する物質をそれぞれ０．０１〜１０重量％添加することもできる。
すなわち、真券には磁気インキの他に、赤外線吸収インキ、蛍光発色インキ等によって真贋検知用の印刷が施されることもあり、現金自動預け払い機等は磁気のみならず、種々の光学センサーを具備する場合もある。従って、不正手段によって奪取された真券であることをこれらのセンサーによっても識別し得るようにするために、赤外線吸収物質や蛍光発色物質をさらに含有することもできる。
【００２４】
尚、本発明の真券汚染用インキは、特定粒径の磁性粒子と植物油と必要に応じて他の成分を適当な非水性液状媒体に添加、混合、分散等しても良いし、各成分ごとに適当な非水性液状媒体に添加、混合、分散等した後に、それらをあわせても良い。複数の成分を適当な非水性液状媒体に添加、混合、分散等した後に、他の成分の分散液とあわせて良い。また、適当な非水性液状媒体に種々の成分を順次添加、混合、分散等することもできる。
【００２５】
本発明の真券汚染用インキは、真券収容装置内に、真券を束ねて収容する部材と、不正な手段によって真券を奪取する行為を検知する機能を有する部材と共に収容され、前記検知部材が前記不正行為を検知した際に、真券の束の端面に向けて前記インキ収容部材から真券汚染用インキを出すか、又は前記インキ収容部材中の真券汚染用インキ中に真券の束の端面を投入し、真券を汚染する。
【００２６】
真券を束ねて収容する部材は、真券の長辺、短辺をそれぞれ揃え積み重ねた状態で真券を収容する部材であれば良く、紐、テープ、帯封等でくくってある必要はない。また、真券の束の端面は鉛直線方向上下向き若しくは下向きになるように収容されていても良いし、真券の束の端面がほぼ垂直になるよう収容されていても良い。
【００２７】
ここでいう「不正な手段によって真券を奪取する行為」とは、正当な権原なき者が行う、
▲１▼  真券収容装置自体を所定の設置場所から無理矢理に動かす行為、
▲２▼  真券収容装置をこじ開ける行為、
▲３▼  真券収容部材を真券収容装置から抜き出す行為、
▲４▼  真券収容部材をこじ開ける行為、
▲５▼  真券収容部材から真券を抜き出す行為、
▲６▼  その他これに類する行為をいう。
【００２８】
また、ここでいう不正奪取行為を「検知する機能を有する部材」とは、機械的なスイッチ、振動センサー、静電容量変化検知センサー、傾き検出センサー等の種々のセンサーをいう。
【００２９】
不正奪取行為を検知した際に、インキ収容部材から真券汚染用インキを出し、真券の束の端面を汚染する機能を有する部材としては、単に前記収容部材を破壊し、インキが真券の束の端面に付着できるようにするだけの機能を有するものであってもよい。また、真券の束の端面の一の面を鉛直線方向上向きに収容してなる真券収容部材の天井部材とインキ収容部材の底部材とを共通にするように真券収容部材の上方にインキ収容部材を設置し、不正奪取行為を検知した際に、両部材の境界を形成している壁を破壊したり、引き抜いたりする機構を有するものであってもよい。あるいは、真券収容部材中の真券若しくは真券収容部材から抜き出されつつある真券の束の端面に向けて前記収容部材中のインキを噴射する機能を有する部材であってもよい。
【００３０】
不正奪取行為を検知した際に、インキ収容部材中の汚染用インキ中に真券の束の端面を投入し、真券の束の端面を汚染する機能を有する部材としては、例えば、真券の束の端面の一の面を鉛直線方向下向きに収容してなる真券収容部材の底部材とインキ収容部材の天井部材とを共通にするように真券収容部材の下方にインキ収容部材を設置し、不正奪取行為を検知した際に、両部材の境界を形成している壁を破壊したり、引き抜いたりする機構を有するものであってもよい。
【００３１】
インキ収容部材から真券汚染用インキを出す機構・手段は、真券の束の端面を的確に汚染し得るものであればよく、種々の機構・手段を選択し得る。また、積み重ねられた状態の真券の束の端面に汚染用インキを滴下、噴出等することによって真券を汚染してもよいし、積み重ねら若しくは並べられた状態で収容されている真券の束の端面を汚染用インキを収容している部材中に投入することによって真券を汚染してもよい。
【００３３】
実施例２
実施例１で用いたミネラルスピリッツＡを３６．５重量％とし、シリコーンＳＨ２８ＰＡ（商品名、東レシリコーン社製）を３．５重量％用いた以外は、実施例１と同様にして真券汚染用インキを得、同様に試験したところ、同様に束の内側に位置する真券も確実に汚染することができた。
更に、赤外分光測定装置にて汚染紙幣の汚染部の吸光スペクトルを分析すると、およそ８００ｎｍから１２００ｎｍにかけて明確な吸光スペクトルを示した。
【００３４】
【発明の効果】
本発明により、紙幣、有価証券、郵便切手、収入印紙、乗車券、当籤金付き証票等の真券が強盗、窃盗等により不正な手段により奪取された場合に、その真券が束ねられていたとしても迅速かつ確実に真券を汚染し、人の視覚的においても、また金銭自動両替機、自動販売機、自動改札機、自動番号読み取り装置等の機械においても磁気センサによってそれらが不正手段により奪取された真券だと判る歴然とした証拠を長期にわたりその真券上に残すことができるようになった。そして、その証拠は、不正手段により奪取された真券の使用を不可能することができ、その結果犯罪行為自体を未然防止、抑制という効果を奏する。